【誤訳訂正書】
【提出日】平成31年1月30日(2019.1.30)
【誤訳訂正１】
【訂正対象書類名】特許請求の範囲
【訂正対象項目名】全文
【訂正方法】変更
【訂正の内容】
【特許請求の範囲】
【請求項１】
原油を含む炭化水素原料からオレフィンおよび芳香族石油化学製品を生成するための統合水素化分解処理であって、前記処理は、
水素含有量が増加した第１の流出物を生成するのに有効な条件下で、水素の存在下で第１の水素化分解域において原油を含む前記原料を処理するステップと、
前記第１の流出物をＬＰＧ含有流および液相流に分離するステップと、
前記ＬＰＧ含有流を、水素含有流、メタン含有流、エタン含有流、ブタン含有流、プロパン含有流、Ｃ１マイナス含有流、Ｃ３マイナス含有流、Ｃ１−Ｃ２含有流、Ｃ３−Ｃ４含有流、Ｃ２−Ｃ３含有流、Ｃ１−Ｃ３含有流、Ｃ１−Ｃ４含有流、Ｃ２−Ｃ４含有流、Ｃ２マイナス含有流、Ｃ４マイナス含有流のグループから選択された１つまたは複数の流れに分離するステップと、
得られた１つまたは複数の流れを、ブタン脱水素装置、プロパン脱水素装置、結合プロパン−ブタン脱水素装置、またはそれらの装置の組み合わせのグループから選択される少なくとも１つの装置と蒸気クラッカ装置においてさらに処理して、混合生成物流を生成するステップと、
前記混合生成物流を、ブタン脱水素装置、プロパン脱水素装置、結合プロパン−ブタン脱水素装置、またはそれらの装置の組み合わせのグループから選択される前記少なくとも１つの装置と前記蒸気クラッカ装置から第２の分離区分へ供給するステップと、
スラリー中間生成物を生成するために残油水素化分解域で前記液相流を熱クラッキングするステップと、
前記混合生成物流を分離するステップと、
オレフィンまたは芳香族化合物を、分離された混合生成物流から回収するステップと、を備える、処理。
【請求項２】
前記エタン含有流、前記Ｃ１−Ｃ２含有流、および前記Ｃ２マイナス含有流の前記グループから選択される少なくとも１つの流れを、前記蒸気クラッカ装置に供給するステップをさらに備える、請求項１に記載の処理。
【請求項３】
前記プロパン含有流、前記Ｃ３−Ｃ４含有流、前記Ｃ３マイナス含有流、前記ブタン含有流、前記Ｃ４マイナス含有流、前記Ｃ２−Ｃ３含有流、前記Ｃ１−Ｃ３含有流、前記Ｃ１−Ｃ４含有流、および前記Ｃ２−Ｃ４含有流のグループから選択された少なくとも１つの流れを、前記ブタン脱水素装置、前記プロパン脱水素装置、前記結合プロパン−ブタン脱水素装置、またはそれらの装置の組み合わせのグループから選択される少なくとも１つの脱水素装置に供給するステップをさらに備える、請求項１または２のいずれか一項に記載の処理。
【請求項４】
水素含有量が増加した第２の流出物を生成するのに有効な条件下で、水素の存在下で第２の水素化分解域において前記液相流を処理するステップと、前記第２の水素化分解域からの前記第２の流出物から、ＢＴＸＥ含有流、ＬＰＧ含有流、および残液流を回収するステップとをさらに備える、請求項１に記載の処理。
【請求項５】
スラリー中間生成物を生成するために、前記残油水素化分解域で、前記残液流を前記液相流と共に熱クラッキングする、請求項４に記載の処理。
【請求項６】
前記第１の水素化分解域から生成される前記ＬＰＧ含有流と、前記第２の水素化分解域から生成される前記ＬＰＧ含有流とを組み合わせるステップをさらに備える、請求項４に記載の処理。
【請求項７】
前記スラリー中間生成物から蒸気生成物を回収し、このように回収された前記蒸気生成物と前記ＬＰＧ含有流とを混ぜ合わせるステップをさらに備える、請求項１から６のいずれか一項に記載の処理。
【請求項８】
前記第１の水素化分解域から生成される前記第１の流出物および前記第２の水素化分解域から生成される前記第２の流出物から、残液留分を分離し、前記第１の水素化分解域および／または第２の水素化分解域の入口に前記残液留分を再循環させるステップをさらに備える、請求項４から６のいずれか一項に記載の処理。
【請求項９】
前記分離された混合生成物流からメタンを回収し、前記メタンを、バーナおよび／またはヒータのための燃料として使用するために前記蒸気クラッカに再循環させるステップをさらに備える、請求項１から８のいずれか一項に記載の処理。
【請求項１０】
前記分離された混合生成物流から水素を回収して精製し、前記第１および／または第２の水素化分解域の前記入口に再循環させるステップをさらに備える、請求項１から９のいずれか一項に記載の処理。
【請求項１１】
前記分離された混合生成物流から熱分解燃料油を回収し、前記第１および／または第２の水素化分解域の前記入口に、前記熱分解燃料油を再循環させるステップをさらに備える、請求項１から１０のいずれか一項に記載の処理。
【請求項１２】
前記第１の水素化分解域が、２００℃から６００℃の範囲の動作温度、０．２から２０ＭＰａの範囲の動作圧力、および０．１ｈ＜−１＞から１０ｈ＜−１＞の範囲の液体時間空間速度（ＬＨＳＶ）の下で動作する、請求項１から１１のいずれか一項に記載の処理。
【請求項１３】
前記第２の水素化分解域は、フィード水素化分解（ＦＨＣ）、ガソリン水素化分解（ＧＨＣ）、芳香族開環、水素化分解（ガス油）、および残油水素化分解（真空残油）のグループから選択される１つまたは複数の装置を備える水素化分解域である、請求項４から１２のいずれか一項に記載の処理。
【請求項１４】
ＦＨＣ条件は、温度が３００から５５０℃、圧力が３００から５０００ｋＰａゲージ、単位時間当たりの重量空間速度が０．１から１０ｈ−１であり、ガソリン水素化分解条件（ＧＨＣ）は、温度が３００から５８０℃、圧力が０．３から５ＭＰａゲージ、重量空間速度（ＷＨＳＶ）は、０．１から２０ｈ−１であり、芳香族開環処理は、芳香族水素添加触媒の存在下で、１から３０重量％の水素を伴い、温度が１００から５００℃、圧力が２から１０ＭＰａで芳香環飽和を備え、環開裂触媒の存在下で、１から２０重量％の水素を伴い温度が２００から６００℃、圧力が１から１２ＭＰａで環開裂を備え、水素化分解のために使用される処理条件は、処理温度２００から６００℃、上昇圧力０．２から２０ＭＰａ、空間速度０．１から２０ｈ−１を含み、水素の量は炭化水素原料に関する請求項１３に記載の処理。
【誤訳訂正２】
【訂正対象書類名】明細書
【訂正対象項目名】０００２
【訂正方法】変更
【訂正の内容】
【０００２】
そのような処理は、米国特許出願第２０１３／２４８４１７号明細書から知られる。この米国特許出願第２０１３／２４８４１７号明細書では、原油を直接処理するための統合処理が開示され、原油および再循環スラリー処理生成物が、水素化処理流出物を生成するのに有効な条件の下で機能する水素化処理域に溜められる。水素化処理流出物は、蒸気の下で熱クラッキングされ、混合生成物の流れを生み出す。熱クラッキング装置の上流で、または蒸気クラッキング動作の対流および熱分解のステップの間で回収された残液留分は、スラリー中間生成物を生成するためにスラリー水素化処理域で熱クラッキングされる。混合生成物流から水素が精製され、水素化処理域に再循環され、オレフィン、芳香族化合物、および熱分解燃料油が、分離された混合生成物流から回収される。水素化処理域から拒絶された残液または底部は、中間蒸留物を含むスラリー中間生成物を生成するために、水素の下で、スラリー水素化処理域で品質向上される。スラリー中間生成物は、再循環され、変換するために蒸気熱分解域で処理される前に、水素化処理反応器流出物と混合されるだけである。
【誤訳訂正３】
【訂正対象書類名】明細書
【訂正対象項目名】０００３
【訂正方法】変更
【訂正の内容】
【０００３】
米国特許出願第２０１３／２４８４１７号明細書による処理では、原油が水素化分解され、蒸気クラッキングによる後の処理のために、液体炭化水素フィードを生成する。重液体フィードの蒸気クラッキングにより、比較的少量の高価値化学物質を含む比較的不充分なクラッカ生成物スレートがもたらされる。このことは、これらの重炭化水素の一部を、スラリー水素化処理域への第１のハイドロクラッキング域の最も重い流出物と共に、コークス器に送ることにより、部分的に補償され、この重い物質が、液体炭化水素蒸気クラッカフィードにさらにクラッキングされる（場合によっては、まず、飽和する必要がある）。
【誤訳訂正４】
【訂正対象書類名】明細書
【訂正対象項目名】０００４
【訂正方法】変更
【訂正の内容】
【０００４】
米国特許第４，１３７，１４７号明細書は、約３６０℃未満の蒸留温度を有し、分子ごとに少なくとも４つの炭素原子を有する少なくともノルマルパラフィンおよびイソパラフィンを含む原料から、エチレンおよびプロピレンを製造する処理に関し、前記原料は、水素化分解域で水素化分解反応に供され、触媒の存在下で、（ｂ）水素化分解反応からの流出物が、（ｉ）上部から、メタンおよび、場合によっては、水素、（ｉｉ）分子ごとに２つおよび３つの炭素原子を伴う炭化水素から本質的に成る留分、および（ｉｉｉ）底部から、分子ごとに少なくとも４つの炭素原子を伴う炭化水素から本質的に成る留分、が放出される分離域に供給され、（ｃ）分子ごとに２つおよび３つの炭素原子を伴う炭化水素から本質的に成る前記留分のみが、蒸気クラッキング域に供給され、蒸気の存在下で、分子ごとに２つおよび３つの炭素原子を伴う炭化水素の少なくとも一部がモノオレフィン系炭化水素に変換され、前記分離域の底部から得られる、分子ごとに少なくとも４つの炭素原子を伴う炭化水素から本質的に成る前記留分は、第２の水素化分解域に供給され、触媒の下で扱われ、第２の水素化分解域からの流出物が、分離域に供給されて、一方で、前記第２の水素化分解域に少なくとも部分的に再循環される分子ごとに少なくとも４つの炭素原子を伴う炭化水素と、他方で、水素、メタン、ならびに分子ごとに２つおよび３つの炭素原子を伴う飽和炭化水素の混合物から本質的に成る留分とを放出し、水素流およびメタン流が前記混合物から分離され、前記蒸気クラッキング域に、２つおよび３つの炭素原子を伴う前記混合物の炭化水素が、分子ごとに２つおよび３つの炭素原子を伴う炭化水素から本質的に成る前記留分とともに、第１の水素化分解域に続く前記分離域から回収された場合に、供給される。したがって、蒸気クラッキング域の放出口で、メタンおよび水素の流れならびに分子ごとに２つおよび３つの炭素原子を伴うパラフィン系炭化水素の流れに加えて、分子ごとに２つおよび３つの炭素原子を伴うオレフィンならびに分子ごとに少なくとも４つの炭素原子を伴う生成物が得られる。本明細書によれば、第１の水素化分解域の底部流は、第２の水素化分解域に送られる。
【誤訳訂正５】
【訂正対象書類名】明細書
【訂正対象項目名】００１６
【訂正方法】変更
【訂正の内容】
【００１６】
したがって、本発明は、原油を含む炭化水素原料からオレフィンおよび芳香族石油化学製品を生成するための統合水素化分解処理に関し、本処理は、
水素含有量が増加した第１の流出物を生成するのに有効な条件下で、水素の存在下で第１の水素化分解域において原油および残液生成物を含む原料を処理するステップと、
第１の流出物をＬＰＧ含有流および液相流に分離するステップと、
前記ＬＰＧ含有流を、水素含有流、メタン含有流、エタン含有流、ブタン含有流、プロパン含有流、Ｃ１マイナス含有流、Ｃ３マイナス含有流、Ｃ１−Ｃ２含有流、Ｃ３−Ｃ４含有流、Ｃ２−Ｃ３含有流、Ｃ１−Ｃ３含有流、Ｃ１−Ｃ４含有流、Ｃ２−Ｃ４含有流、Ｃ２マイナス含有流、Ｃ４マイナス含有流のグループから選択された１つまたは複数の流れに分離するステップと、
得られた１つまたは複数の流れを、ブタン脱水素装置、プロパン脱水素装置、結合プロパン−ブタン脱水素装置、またはそれらの装置の組み合わせのグループから選択される少なくとも１つの装置と蒸気クラッカ装置においてさらに処理して、混合生成物流を生成するステップと、
混合生成物流を、ブタン脱水素装置、プロパン脱水素装置、結合プロパン−ブタン脱水素装置、またはそれらの装置の組み合わせのグループから選択される少なくとも１つの装置と前記蒸気クラッカ装置から第２の分離区分へ供給するステップと、
スラリー中間生成物を生成するために残油水素化分解域で液相流を熱クラッキングするステップと、
混合生成物流を分離するステップとを備える。
【誤訳訂正６】
【訂正対象書類名】明細書
【訂正対象項目名】００１８
【訂正方法】変更
【訂正の内容】
【００１８】
本発明によれば、ＬＰＧ含有流は、水素含有流、メタン含有流、エタン含有流、ブタン含有流、プロパン含有流、Ｃ１マイナス含有流、Ｃ３マイナス含有流、Ｃ１−Ｃ２含有流、Ｃ３−Ｃ４含有流、Ｃ２−Ｃ３含有流、Ｃ１−Ｃ３含有流、Ｃ１−Ｃ４含有流、Ｃ２−Ｃ４含有流、Ｃ２マイナス含有流、Ｃ４マイナス含有流のグループから選択される１つまたは複数の流れに、任意の適切な分離技術を使用して分離され、エタン含有流、Ｃ１−Ｃ２含有流、およびＣ２マイナス含有流のグループから選択される少なくとも１つの流れを、蒸気クラッカ装置に供給することが好ましい。このことは、何らのより重い蒸気クラッキング成分も、蒸気クラッカにわたって再循環せず、最終的に、装置サイズおよびエネルギ要求の減少をもたらすことである。場合によってはさらにメタンおよび／またはエタンで希釈される、結合プロパン／ブタン流、または場合によってはメタンおよび／またはエタンで希釈されるプロパン流をもたらす代替分離方式を使用することができる。
【誤訳訂正７】
【訂正対象書類名】明細書
【訂正対象項目名】００２１
【訂正方法】変更
【訂正の内容】
【００２１】
前述のように、エタン含有流、および／またはＣ１−Ｃ２含有流、および／またはＣ２マイナス含有流は、ガス蒸気クラッキング装置に供給されることが好ましく、プロパンおよびブタン含有流は、脱水素装置に供給されることが好ましい。この処理ルートは、さらに高い炭素効率をもたらし、ＬＰＧまでずっと高い変換水素化分解が必要とされる量の水素を生成する。重質材料流は、スラリー水素化分解域にフィードとして直接送られる。
【誤訳訂正８】
【訂正対象書類名】明細書
【訂正対象項目名】００２３
【訂正方法】変更
【訂正の内容】
【００２３】
好適な実施形態によれば、ＬＰＧ含有流は、１つまたは複数の流れに分離され、水素含有流は、水素化分解のための水素源として使用されることが好ましく、メタン含有流は、燃料源として使用されることが好ましく、エタン含有流は、蒸気クラッキング装置に対するフィードとして使用されることが好ましく、プロパン含有流は、プロパン脱水素装置に対するフィードとして使用されることが好ましく、ブタン含有流は、ブタン脱水素装置に対するフィードとして使用されることが好ましく、Ｃ１マイナス含有流は、燃料源および／または水素源として使用されることが好ましく、Ｃ３マイナス含有流は、プロパン脱水素装置に対するフィードとして使用されることが好ましいが、別の実施形態により、蒸気クラッキング装置に対するフィードとしても使用されることが好ましく、Ｃ２−Ｃ３含有流は、プロパン脱水素装置に対するフィードとして使用されることが好ましいが、別の実施形態により、蒸気クラッキング装置に対するフィードとしても使用されることが好ましく、Ｃ１−Ｃ３含有流は、プロパン脱水素装置に対するフィードとして使用されることが好ましいが、別の実施形態により、蒸気クラッキング装置に対するフィードとしても使用されることが好ましく、Ｃ１−Ｃ４ブタン含有流は、ブタン脱水素装置に対するフィードとして使用されることが好ましく、Ｃ２−Ｃ４ブタン含有流は、ブタン脱水素装置に対するフィードとして使用されることが好ましく、Ｃ２マイナス含有流は、蒸気クラッキング装置に対するフィードとして使用されることが好ましく、Ｃ３−Ｃ４含有流は、プロパンもしくはブタン脱水素装置または結合プロパンおよびブタン脱水素装置に対するフィードとして使用されることが好ましく、Ｃ４マイナス含有流は、ブタン脱水素装置に対するフィードとして使用されることが好ましい。
【誤訳訂正９】
【訂正対象書類名】明細書
【訂正対象項目名】００２４
【訂正方法】変更
【訂正の内容】
【００２４】
本明細書で使用する場合、「Ｃ＃炭化水素」または「Ｃ＃」という用語は、「＃」が正の整数であり、＃個の炭素原子を有する全ての炭化水素を記述することを意味する。さらに、「Ｃ＃＋炭化水素」または「Ｃ＃＋」という用語は、＃個以上の炭素原子を有する全ての炭化水素分子を記述することを意味する。それに応じて、「Ｃ５＋炭化水素」または「Ｃ５＋」という用語は、５つ以上の炭素原子を有する炭化水素の混合物を記述することを意味する。それに応じて、「Ｃ５＋アルカン」という用語は、５以上の炭素原子を有するアルカンに関する。それに応じて、「Ｃ＃マイナス炭化水素」または「Ｃ＃マイナス」という用語は、＃個以下の炭素原子を有し、水素を含む、炭化水素の混合物を記述することを意味する。例えば、「Ｃ２−」または「Ｃ２マイナス」という用語は、エタン、エチレン、アセチレン、メタン、および水素の混合物に関する。例えば、Ｃ１−Ｃ３という用語は、Ｃ１、Ｃ２、およびＣ３を備える混合物に関する。最後に、「Ｃ４ｍｉｘ」という用語は、ブタン、ブテン、およびブタジエン、すなわち、ｎ−ブタン、ｉ−ブタン、１−ブテン、シス−およびトランス−２−ブテン、ｉ−ブテン、ならびにブタジエンの混合物を記述することを意味する。
【誤訳訂正１０】
【訂正対象書類名】明細書
【訂正対象項目名】００２９
【訂正方法】変更
【訂正の内容】
【００２９】
好適な実施形態によると、本処理は、プロパン含有流、Ｃ３−Ｃ４含有流、Ｃ３マイナス含有流、ブタン含有流、Ｃ４マイナス含有流、Ｃ２−Ｃ３含有流、Ｃ１−Ｃ３含有流、Ｃ１−Ｃ４含有流、およびＣ２−Ｃ４含有流のグループから選択された少なくとも１つの流れを、ブタン脱水素装置、およびプロパン脱水素装置、結合プロパン−ブタン脱水素装置、またはそれらの装置の組み合わせのグループから選択された少なくとも１つの脱水素装置に供給するステップをさらに備える。
【誤訳訂正１１】
【訂正対象書類名】明細書
【訂正対象項目名】００３２
【訂正方法】変更
【訂正の内容】
【００３２】
好適な実施形態によれば、本処理は、水素含有量が増加した第２の流出物を生成するのに有効な条件下で、水素の存在下で第２の水素化分解域において前記液相フィードを処理するステップと、
前記第２の水素化分解域からの第２の流出物から、ＢＴＸＥ含有流、ＬＰＧ含有流、および残液流を回収するステップとをさらに備える。第２の水素化分解域の利点の一つは、重大度を制御することによって、水素化分解ステップの効率性および選択性にわたってより大きな制御を与えることである。
【誤訳訂正１２】
【訂正対象書類名】明細書
【訂正対象項目名】００３６
【訂正方法】変更
【訂正の内容】
【００３６】
好適な実施形態によれば、本処理は、第１および第２の流出物から残液留分を分離するステップ、および第１の水素化分解域および／または第２の水素化分解域の入口に前記残液留分を再循環させるステップをさらに備える。別の実施形態において、スラリー水素化分解域のガス／液体流出物は、第２の水素化分解域の流出物（ＬＰＧより重い）と同様の各流れの組成物および圧力に最良に一意する処理装置のいずれかに再循環させることができる。これらの２つの再循環は、混合することができるか、または別々のままにしておくことができ、本統合処理におけるさまざまなフィード位置にもたらすことができる。
【誤訳訂正１３】
【訂正対象書類名】明細書
【訂正対象項目名】００４６
【訂正方法】変更
【訂正の内容】
【００４６】
選択的水素化処理域は、原油フィード１、残液生成物流３６、３７、水素４８、４３、および、必要に応じて、生成水素（図示せず）を含む混合物３を受け取るための入口を有する、水素化処理反応域４、すなわち、第１の水素化分解域装置を含む。水素化処理反応域４は、水素化処理流出物５を放出するための放出口をさらに含む。水素化処理流出物５は、水素化処理反応域５、すなわち、第１の水素化処理域装置の入口への流れ３７として、部分的に再循環させることができる。
【誤訳訂正１４】
【訂正対象書類名】明細書
【訂正対象項目名】００４７
【訂正方法】変更
【訂正の内容】
【００４７】
水素化処理反応域４からの反応器流出物５の残りの部分６は、高圧分離器７に送られる。分離器上部９は、アミン装置４５で洗浄され、結果的に得られる水素が豊富なガス流４６が、再循環コンプレッサ４７に通され、第一の水素化処理反応器４で再循環ガス４８として使用される。高圧分離器７からの底部流８は、実質的に液相であり、冷却されて、流れ１０として、低圧冷却分離器１２に導入され、ガス流１３、すなわち、ＬＰＧ含有流と、液流１４とに分離される。高圧分離器７からの残液相１１および低圧冷却分離器１２からの残液相１５は、水素化処理反応域４、すなわち、第１の水素化分解域装置の入口に再循環させることができる。低圧冷却分離器１２からのガス１３は、水素、Ｈ２Ｓ、ＮＨ３、および、Ｃ１−Ｃ４炭化水素などの任意の軽質炭化水素を含む。
【誤訳訂正１５】
【訂正対象書類名】明細書
【訂正対象項目名】００４８
【訂正方法】変更
【訂正の内容】
【００４８】
ＬＰＧ含有流１３は、装置１９で、水素含有流、メタン含有流、エタン含有流、ブタン含有流、プロパン含有流、Ｃ１マイナス含有流、Ｃ３マイナス含有流、Ｃ１−Ｃ２含有流、Ｃ３−Ｃ４含有流、Ｃ２−Ｃ３含有流、Ｃ１−Ｃ３含有流、Ｃ１−Ｃ４含有流、Ｃ２−Ｃ４含有流、Ｃ２マイナス含有流、Ｃ４マイナス含有流のグループから選択される１つまたは複数の流れなどの個々の流れ２０、２１、２２に、さらに分離される。個々の流れ２０、２１、２２の数を制限して示してあるが、本発明は、個々の流れを特定の数に制限するものではないことは明らかである。流れ２０、すなわち、分離装置１９から生成される軽質留分は、ガス蒸気クラッカ装置５１に送られることが好ましい。ガス蒸気クラッカ装置５１からの流出物流５２は、分離区分４１に送られる。これらの個々の流れ２１、２２は、装置３８でさらに処理され、装置３８は、ブタン脱水素装置、プロパン脱水素装置、結合プロパン−ブタン脱水素装置、または混合生成物流３９を生成するためのそれらの装置の組み合わせから選択される装置のグループとして理解されよう。装置３８はまた、混合生成物流３９を分離し、例えば、分離された混合生成物流３９から、オレフィンおよび芳香族化合物を含む、いくつかの流れ４０、４４．７２を受け取るための分離区分４１を備える。個々の流れ４０、４４、７２の数を制限して示してあるが、本発明は、個々の流れを特定の数に制限するものではないことは明らかである。流れ４２は、主に、水素を含む。分離区分４１は、いくつかの分離装置を備えることができる。メタン含有流部分は、装置４１で分離され、蒸気クラッカだけでなく、装置３８の脱水素装置に再循環させることができ、バーナおよび／またはヒータのための燃料として使用される。次いで、水素含有流４２は、純度９９．９％＋の水素流４３を得るために圧力スイング吸着法（ＰＳＡ）装置などの水素精製装置４９に、または純度約９５％の水素流４３を得るために膜分離装置に、または他の任意の水素精製技術に所望の水素純度を実現するために通される。次いで、精製された水素流４３は、水素化処理反応域４に対する必要な水素の主要部分として働くよう再循環され、またはその一部５０が、第２の水素化分解域２４に対する必要な水素の主要部分として働くよう再循環される。液流１６の全てまたは一部は、第２の水素化分解域２４へのフィードとして働く。第２の水素化分解域２４は、ＢＴＸＥ含有流２５、ＬＰＧ含有流２３、および液体残流２７を含む、第２の流出物を生成する。流れ２７は、スラリー水素化処理域３１に送られる流れと、第１の水素化分解域４の入口に再循環される流れとに分離することができる。
【誤訳訂正１６】
【訂正対象書類名】明細書
【訂正対象項目名】００５３
【訂正方法】変更
【訂正の内容】
【００５３】
残油水素化分解域へのフィードは、混合生成物流３９からの高価値生成物から生成される流れ３４、第２の水素化分解域２４からの流れ２７、残重質液を含む流れ２８の組み合わせを含む。この結合フィードは、任意選択的に、混合域２９を介して、スラリー水素化処理域３１で処理される。混合域２９では、残液留分は、スラリー水素化処理域３１のフィードを形成するために、触媒活性粒子を含む、スラリー未変換残留物３３と混合される。次いで、このフィード３０は、水素（図示せず）の存在下で、スラリー水素化処理域３１で品質向上され、中間蒸留物を含むスラリー中間生成物３２を生成する。ある実施形態において、スラリー水素化処理域３１は、水素化処理域４および／または第２の水素化分解域２４における１つまたは複数の反応器を伴う共通高圧ループ下にある。スラリー中間生成物３２は、分離装置７０を介して、再循環され、ガス状流７１および流れ７３に分離されることが好ましいが、フィード組成物で最も適合する第２の水素化分解域２４における個々のハイドロクラッカにフィードのいずれかで直接入ることもできる。そのような流れ７１は、他のＬＰＧ含有流１３、２３と混ぜ合わせることができる。流れ７３は、変換するために第２の水素化分解域２４で処理される前に、装置１７からの流出物と混合されることが好ましい。